(57)【要約】【課題】全周に渡って貼付され、使用可能期間が長く、廉価な連続した表示シートが容易に交換することのできる連続表示シート付きハンドレールを得る。【解決手段】連続表示シート付きハンドレールは、ハンドレールの移動方向に対して全周に渡り連続し、高分子有機シートを複数層積層した連続表示シートが粘接着剤でハンドレールに粘接着され、連続表示シートは、幅の異なった高分子有機シートが積層される、または透明な高分子有機シートを含む、または標章が設けられた高分子有機シートを含んでいる。【選択図】        図１
2004217319.tif 000002
【特許請求の範囲】
【請求項１】
標章が設けられた高分子有機シートを含む高分子有機シートを複数層積層した連続表示シートが、ハンドレールの移動方向に対して全周に渡って連続して上記ハンドレールに粘接着されていることを特徴とする連続表示シート付きハンドレール。
【請求項２】
上記連続表示シートは、幅の異なった高分子有機シートが積層されたことを特徴とする請求項１に記載の連続表示シート付きハンドレール。
【請求項３】
上記連続表示シートには、透明な高分子有機シートを含むことを特徴とする請求項１乃至２のいずれか一項に記載の連続表示シート付きハンドレール。
【請求項４】
上記連続表示シートは、粘着性の異なった粘接着剤で複数の高分子有機シートがそれぞれ粘接着されたことを特徴とする請求項１乃至３のいずれか一項に記載の連続表示シート付きハンドレール。
【請求項５】
ハンドレールに粘接着された上記連続表示シートの最外層の高分子有機シートは、清掃用であることを特徴とする請求項１乃至４のいずれか一項に記載の連続表示シート付きハンドレール。
【請求項６】
上記連続表示シートが、ハンドレールの幅方向に蛇行して貼付されたことを特徴とする請求項１乃至５のいずれか一項に記載の連続表示シート付きハンドレール。
【発明の詳細な説明】
【０００１】
【発明の属する技術分野】
この発明はエスカレータなど乗客コンベアハンドレールに関し、特に連続した表示シートを貼付された連続表示シート付きハンドレールに関する。
【０００２】
【従来の技術】
従来の宣伝広告や案内などの表示を有するエスカレータ用ハンドレールは、表示を印刷した樹脂製シート、フィルム等の比較的短いシールをハンドレールの表面に多数枚定間隔に接着したものであり、ハンドレールのほぼ平坦な表面中央部にだけ表示面が設けられている（例えば、特許文献１参照。）。
【０００３】
また、ハンドレールの中央部分の表面に記入表示を行い、その上に樹脂コーティングを施しているものもある（例えば、特許文献２参照。）。
【０００４】
【特許文献１】
実開昭６１−５９２７４号公報  （第３頁第１行から第８行）
【特許文献２】
実開昭６３−１６２７７７号公報  （第３頁から第４頁）
【０００５】
【発明が解決しようとする課題】
しかしながら、多数枚のシールを貼り付けられたハンドレールでは、シールの外縁が手によって繰り返し摺られたり、ハンドレール駆動装置の押圧車輪で摩擦駆動されるためにシールが剥離しやすいという問題があった。さらに、多数枚のシールを貼り付けることと剥離する作業に多くの人手がかかるという問題もあった。
【０００６】
また、ハンドレール全長に渡るような長い連続した表示シートは貼付にも剥離にも多大のマンパワーを要し、ある場合には貼付作業だけに３時間を要したこともあった。剥離作業も人手で行わねばならず、長時間の作業が必要であった。
【０００７】
また、表示の上に樹脂を一旦コーティングすると、表示内容を変更するためにはハンドレールの全体を交換しなければならず、宣伝広告などの表示内容を定期的に変更することはコスト面から実際上不可能であったという問題があった。
【０００８】
従って、この発明の目的は、全周に渡って貼付され、使用可能期間が長く、廉価な連続した表示シートが容易に交換することのできる連続表示シート付きハンドレールを得ることである。
【０００９】
【課題を解決するための手段】
この発明に係わる連続表示シート付きハンドレールは、標章が設けられた高分子有機シートを含む高分子有機シートを複数層積層した連続表示シートが、ハンドレールの移動方向に対して全周に渡って連続してハンドレールに粘接着されている。
【００１０】
【発明の実施の形態】
実施の形態１．
図１はこの発明の実施の形態１の連続表示シート付きハンドレールの斜視図である。図２は図１の断面図である。図３は図１の連続表示シートをハンドレールに連続して添付するエスカレータハンドレール用連続シート貼付装置の概略正面図である。図１の連続表示シートは説明のために、一部剥がした状態と、重なって貼付されている連続表示シートは位置をずらして図示してあるが、実際は切れ目無くハンドレール上に貼付され、２層目のシートは直上に貼付してある。
【００１１】
連続表示シート付きハンドレールは、図示されていないエスカレータの欄干の上面に案内され、周回するハンドレール１と、ハンドレール１の上面をほとんど覆い、ハンドレール１の移動方向に無端周回し、両端部で接続され、ハンドレール１と粘接着材で粘接着された連続表示シート２とを備えている。連続表示シート２は、２枚の高分子有機シート３、４を粘着剤または粘接着剤で積層されている。第１の高分子有機シート３は、ハンドレール１の移動方向に直交した幅を全幅に渡って覆うような幅２０ｃｍで、長さはハンドレール１の全周に相当する約３０ｍである。第１の高分子有機シート３は、ハンドレール１に貼付された状態では、ハンドレール１の移動方向に沿って無端周回し、第１の高分子有機シート３の両端部同士で接続されている。さらに、第２の高分子有機シート４も幅および長さは第１の高分子有機シート３と同じである。
【００１２】
図２に示すように、ハンドレール１は、複数の帆布５からなる帆布層６と、この帆布層６の表面を覆うよう配設される化粧層７とにより構成されている。
【００１３】
帆布層６は、綿などの天然繊維またはポリエステルまたはナイロン等の化学繊維等の織物からなる帆布５が２〜５層に積層されている。また、この帆布層６は、断面形状が略Ｃ字型となるよう湾曲しており、これにより、ハンドレール１は、図示しない欄干上に配置される背部８と、この背部８の両端から湾曲しながら下方に向かって延設される一対の側面部９と、この一対の側面部９の下端から互いに近づく方向に突出する耳部１０とから形成されている。
【００１４】
化粧層７は、屈曲性および引張力に優れる各種ゴムまたはプラスチックが用いられ、特にクロロスルフォン化ポリエチレンゴムが一般的に使用されている。なお、これらの各構成材間および帆布５の各層間はゴム系の接着剤で加硫接着されているのが一般的である。
【００１５】
連続表示シート２は、工場で一体ものとして製造される。第１の高分子有機シート３と第２の高分子有機シート４とは、幅広のシートの段階で粘接着剤で粘着され、ロールにされている。ここで使用できる粘接着剤は、２−エチルヒキシルアクリレートにアクリル酸を添加して変性したポリマーに粘着付与剤としてアビニチン酸、溶媒として芳香族炭化水素系溶媒を混合したものである。このように、芳香族炭化水素を溶媒とする粘接着剤は安価な材料を用いることができ、通常５０ｃｍ幅で値段が１ｍ当たり５千円と低額である。このように一体にロール化された連続表示シート２の片面にカレンダ印刷により、所望の標章１１を印刷し、その標章１１の上面に粘接着剤が塗布され、さらにその上にシリコーン系離型剤を塗布された離型紙を離型剤の塗布された面と粘接着剤の塗布面を合わせてロール状に巻回された連続表示シート２のロールを準備する。このハンドレール１に粘接着する粘接着剤は、２−エチルヒキシルアクリレートにアクリル酸を添加して変性したポリマーに粘着付与剤としてアビニチン酸、溶媒としてケトン類を混合されたものである。溶媒としてケトン類を用いる理由は、ハンドレールの材質がクロロスルフォン化ポリエチレンであり、芳香族炭化水素系の溶媒でクロロスルフォン化ポリエチレンがアタックされてしまうためである。そのため、特殊な粘接着剤を用いることが必要であり、２０ｃｍ幅の連続表示シートの値段が１ｍ当たり２〜３万円と高価である。
【００１６】
第２の高分子有機シート４は透明であるので、第１の高分子有機シート３に形成された標章１１を見ることができる。
【００１７】
連続表示シート２をハンドレール１に添付するとき、図３に示すエスカレータハンドレール用連続シート貼付装置を用いる。エスカレータハンドレール用連続シート貼付装置は、エスカレータの欄干１２に取り付けられ得る台座１３上に、貼付ユニット１４が備えられている。簡単に各部を説明する。
【００１８】
台座１３にはフレーム１５と、欄干１２に配置されるようにフレーム１５に固定された固定装置１６が備えられているので、フレーム１５は固定装置１６で欄干１２に固着することができる。
【００１９】
貼付ユニット１４は、先端でハンドレール１上に貼付されえ連続表示シート２をハンドレール１の移動に応じてハンドレール１上に連続的に供給する表示シート供給装置１７と、表示シート供給装置１７から供給された連続表示シート２をハンドレール１の表面に沿って案内して貼付ける案内貼付装置１８とを備えている。
【００２０】
表示シート供給装置１７は、フレーム１５に回転自在に支持され、供給シートのロール１９を回転可能に支持するシート支持軸２０と、フレーム１５に回転自在に支持され、供給シートのロール１９から繰り出されたシート裏紙２１を巻き取る裏紙巻取ローラ２２と、シート支持軸２０上のロール１９の回転を裏紙巻取ローラ２２に伝達する伝達機構２３とを備えている。
【００２１】
案内貼付装置１８は、表示シート供給装置１７から供給された連続表示シート２を案内貼付装置１８に引き込むゴムローラ２４と、ハンドレール１上に供給された連続表示シート２にハンドレール１の移動方向に見て下流側に向かって次第に方向が変化する押圧力を加える複数の押圧ローラ２５とを備えている。
【００２２】
次に、エスカレータハンドレール用連続シート貼付剥離装置を用いて、連続表示シートの添付について説明する。
【００２３】
連続表示シートのロール１９をシート支持軸２０に固定する。裏紙巻取ローラ２２にボビン２６を固定する。シートロール１９をシート裏紙２１と連続表示シート２とに分離し、シート裏紙２１を裏紙巻取ローラ２２まで引っ張り出して先端部をボビン２６にテープで固定する。一方、連続表示シート２をゴムローラ２４とハンドレール１の間を通過させてハンドレール１の移動方向にさらに引き出し平たくハンドレール１に貼り付ける。
【００２４】
次に、ハンドレール１を自動で駆動すると、ハンドレール１に連続表示シート２が引っ張られて連続表示シート２がシートロール１９から引き出される。シート支持軸２０が回転すると、伝達機構２３が駆動し、裏紙巻取ローラ２２が回転する。新規なシートロール１９からゴムローラ２４とハンドレール１の間を通過した連続表示シート２は、ハンドレール１の背部８に平らな状態で貼付され、さらに連続表示シート２はハンドレール１と一緒に移動して、押圧ローラ２５ａとハンドローラ１０の背部８の間に挿入されて、その部分の連続表示シート２が貼付される。さらに、連続表示シート２はハンドレール１と一緒に移動して、押圧ローラ２５ｂとハンドレール１の背部８の下部へ間に挿入され、その部分の連続表示シート２が貼付される。このようにして、複数の押圧ローラ２５ａ、２５ｂ、２５ｃ、２５ｄ、２５ｅとハンドレール１との当接する箇所を通過する過程で連続表示シート２が皺や気泡を残さずに貼付される。貼付した部分が重なるまで貼付し、その後、端部に隙間がないように切り取って、その端部を接着力の大きな粘着テープで接着する。
【００２５】
このような連続表示シート付きハンドレールは、２層の高分子有機シートが粘接着されているので、第１の高分子有機シートの使用可能期間を長くすることができる。その結果、高価なハンドレール１に粘接着する第１の高分子有機シートの使用量を少なくすることでコストダウンができる。
【００２６】
尚、第１および第２の高分子有機シートの材質はポリプロピレンに限らず、表示印刷可能な材質のシートであれば良く、例えばポリフッ化ビニリデン、ポリ塩化ビニール、ポリ塩化ビニリデン、ポリスチレン、ポリエチレンなどがある。
【００２７】
また、第２の高分子有機シートに用いる粘接着剤の基材、粘着付与剤、溶剤など、この説明に限ったものではなく、市販されている粘接着剤を用いることができる。
【００２８】
実施の形態２．
図４はこの発明の実施の形態２の連続表示シート付きハンドレールの斜視図である。実施の形態２は図１と同様に第１の連続表示シート２と第２の連続表示シート３がハンドレール１に粘接着されている。実施の形態１と異なって、第１の高分子有機シート３への表示印刷がなく、粘接着剤だけ設け、第２の高分子有機シート４の片面に標章１１を印刷したのち、粘接着剤を塗布している。これ以外は実施の形態１と同じであり、説明は省略する。
【００２９】
このような連続表示シート付きハンドレールは、第１の高分子有機シート３に標章１１を印刷しなくてすむので、特殊な粘接着剤用溶媒に耐性が必要な表示用印刷材料の必要がなくなるので、安価な表示印刷材料を用いることができる。
【００３０】
また、第１の高分子有機シート３と粘接着剤との間に表示用印刷材料が介在していないので、粘接着力が充分確保できて、図示しないハンドレール駆動用ローラから加わる力で剥離することがなくなる。
【００３１】
実施の形態３．
図５はこの発明の実施の形態３の連続表示シート付きハンドレールの斜視図である。図１と異なって、第２の高分子有機シート４と第１の高分子有機シート３との標章１１が全く同じであり、工場で第１と第２の高分子有機シートとを重ねてロール化して、エスカレータの設置場所に持ち込んで一回の貼付でハンドレール１に形成することができる。
【００３２】
このように貼付された上側の連続表示シートは、汚れやすい高分子有機シートを剥がすことで容易に同じ内容の標章１１を準備できる。
【００３３】
また、一回に２枚の表示シートを貼付することができるので、貼付時間が約半分になる。
【００３４】
尚、同じ表示の連続表示シートを２枚重ねてあるが、重ねる連続表示シートの枚数を増やしても総厚みがハンドレールの移動の妨げになることがない範囲で重ねることができる。
【００３５】
実施の形態４．
図６はこの発明の実施の形態４の連続表示シート付きハンドレールの斜視図である。図７は図６の断面図である。図４と異なって、第２の高分子有機シート４の幅が第１の高分子有機シート３より狭くなっていて、ほぼハンドレール１の肩部８を覆っている。その他は実施の形態２と同様であるので説明は省略する。
【００３６】
このようなハンドレールの肩部に貼付した第２の高分子有機シート４を定期的に交換することによって、第１の連続表示シート３の交換頻度を長くすることができると同時に幅の狭いのでコストが少なくなる。
【００３７】
実施の形態５．
図８はこの発明の実施の形態５の連続表示シート付きハンドレールの斜視図であり、図９は図８の断面図である。
図８の連続表示シート付きハンドレールは図８にさらに第３の高分子有機シート２７が備えられている点が異なっている。第３の高分子有機シート２７は、第２の高分子有機シート４の上面を覆っている。第３の高分子有機シート２７と第２の高分子有機シート４には異なった表示を印刷されている。第１、第２、第３の高分子有機シート３、４、２７は工場で３層構造でロール巻回して、貼付する現場に持ち込む。貼付以降の工程は実施の形態１と同様であるので説明は省略する。
【００３８】
このように貼付された上側の連続表示シートは、汚れたりまたはキズが付いたとき、この上側の連続表示シートを剥離すれば、新たな連続表示シートの表面を現すことができるので、施工時間が少なくてすむ。
【００３９】
実施の形態６．
図１０はこの発明の実施の形態６の連続表示シート付きハンドレールの斜視図である。実施の形態１と同様な構造であり、第２の高分子有機シート４は短期間だけ使用可能のように、粘接着剤の替わりに粘着剤を用い、表示の印刷も施さない点が実施の形態１と異なっている。第１および第２の高分子有機シート３、４を工場で重ねてロールに製造して、施工現場に持ち込んで貼付する。
【００４０】
貼付したのち、通常の通りエスカレータを２〜３日位運転を行う。その後、第２の高分子有機シート４を剥離する。このように所定期間第２の高分子有機シート４を貼付した状態でエスカレータを駆動すると、ハンドレールの駆動用ローラなどに付着している汚れが第２の高分子有機シート４に付着して、駆動用ローラなどの清掃を行うことができる。
【００４１】
このような連続表示シート付きハンドレールは、上面に清掃用にシートを積層した連続表示シートが設けられているので、エスカレータの駆動用ローラを停止し、清掃のためにエスカレータの踏段などの部品を外すことがなくなる。
【００４２】
実施の形態７．
図１１はこの発明の実施の形態７の連続表示シート付きハンドレールの斜視図である。実施の形態６と、第２の高分子有機シート４の幅がハンドレール１の肩部を覆得る程度に狭くなっている点が異なっており、その他は同様であるので同様な点の説明は省略する。
【００４３】
貼付したのち、通常の通りエスカレータを２〜３日位運転を行う。その後、第２の高分子有機シート４を剥離する。このように所定期間第２の高分子有機シート４を貼付した状態でエスカレータを駆動すると、ハンドレールの駆動用ローラなどに付着している汚れが第２の高分子有機シート４に付着して、駆動用ローラなどの清掃を行うことができる。
【００４４】
このような連続表示シート付きハンドレールは、上面に清掃用にシートを積層した連続表示シートが設けられているので、エスカレータの駆動用ローラを停止し、清掃のためにエスカレータの踏段などの部品を外すことがなくなると同時に第２の高分子有機シート４の幅が狭いのでコストが安くなる。
【００４５】
実施の形態８．
図１２はこの発明の実施の形態８の連続表示シート付きハンドレールの斜視図である。図１３は図１２の断面図である。図９と異なって、第２と第３の高分子有機シート４、２８が第１の高分子有機シート３の上面に重ならずに、並んで貼付されている点が異なっており、その他は実施の形態５と同様であるので説明は省略する。
【００４６】
このような連続表示シート付きハンドレールは、一方の高分子有機シートを交換することができる。例えば、広告の交換頻度が違っている場合、短期間使用する高分子有機シートは耐色性および耐候性などを考慮して安価なシートを使用でき、コストダウンにつながる。
【００４７】
実施の形態９．
図１４はこの発明の実施の形態９の連続表示シート付きハンドレールの斜視図である。図１５はハンドレール上に連続表示シートを蛇行しながら貼付することのできるエスカレータハンドレール用連続シート貼付装置の概略正面図、図１６は図１５の概略平面図である。
図１４は図６と同様な構成であるが、第２の高分子有機シートのハンドレール１に貼付される位置がハンドレール１の幅方向に蛇行していることである。その他は図６と同様であり、説明は第２の高分子有機シートの貼付に付いてだけ説明し、その他は省略する。
【００４８】
蛇行しながら貼付するのに用いられる図１５に示すエスカレータハンドレール用連続シート貼付装置と図３が異なる点は、ハンドレールの幅方向の連続表示シートの貼付位置を調整する貼付位置調整装置が追加されている点であり、その他は同じであるので、同じ部分の説明は省略する。
【００４９】
貼付ユニット１４は、先端でハンドレール１上に貼付された高分子有機シート４をハンドレール１の移動に応じてハンドレール１上に連続的に供給する粘着シート供給装置１７と、粘着シート供給装置１７から供給された高分子有機シート４をハンドレール１の表面に沿って案内して貼付ける案内貼付装置１８とを備えている。
【００５０】
案内貼付装置１８は、粘着シート供給装置１７から供給された高分子有機シート４をハンドレール１の幅方向に対して貼付位置を調整しながら蛇行状に送り出す貼付位置調整装置２８と、ハンドレール１に引き込むゴムローラ２４と、ハンドレール１上に高分子有機シート４を貼付するゴムローラ２９とを備えている。
【００５１】
貼付位置調整装置２８は、ハンドレール１に外側面が接触し、フレーム１５、３０に軸支され、外側面にカム溝３１ａが設けられ、ハンドレール１の移動に伴って回転運動を行う円筒カム３１と、カム溝３１ａに緩やかに嵌合する案内ピン部３２ａが設けられ、台座１３に設けられた案内溝１３ａ内をハンドレール１の幅方向に往復運動する直線運動部３２と、高分子有機シート４の幅の間隔で離間し、直線運動部３２に上方に向けて軸支された２本の案内ローラ３３、３４とを備えている。ゴムローラ２４、２９はゴムライニングされ、台座１３に対して水平にフレーム１５に回転自在に軸支されている。
【００５２】
このような構成のエスカレータハンドレール用連続シート貼付装置の操作について説明する。フィルムロール１９をフィルム支持軸２０に挿入して固定する。裏紙巻取ローラ２２にボビン２６を挿入して固定する。フィルムロール１９をシート裏紙２１と高分子有機シート４とに分離し、シート裏紙２１を裏紙巻取ローラ２２まで引っ張り出して先端部をボビン２６にテープで固定する。一方、高分子有機シート４を案内ローラ３３、３４の間を通過させ、ゴムローラ２４とハンドレール１の間を通過させてハンドレール１の移動方向にさらに引き出し平たくハンドレール１に貼り付ける。この段階で、手で高分子有機シート４の貼り付けの不十分の箇所を直したり、印を付けておく。次に１ｍ位ハンドレール１を送って、手で貼り付けた部分を切り取っておく。
【００５３】
次に、ハンドレール１を自動で駆動すると、ハンドレール１に高分子有機シート４が引っ張られて高分子有機シート４がフィルムロール１９から引き出される。貼付位置調整装置２８の円筒カム３１は、ハンドレール１の移動に従って回転運動する。円筒カム３１が回転すると、カム溝３１ａに案内されて、直線運動部３２がハンドレール１の幅方向に往復運動する。直線運動部３２の往復運動に伴って案内ローラ３３、３４がフィルムロール１９から引き出された高分子有機シート４のハンドレール１の幅方向に対する位置を変化させる。ハンドレール１の幅方向に対する位置が変化された高分子有機シート４は、ゴムローラ２４とハンドレール１の間を通過して、ハンドレール１上に貼付され、さらにゴムローラ２９で再度高分子有機シート４を下方に押しつけて貼付する。貼付した部分が重なるまで貼付を継続し、その後、端部に隙間がないように切り取って、その端部を接着力の大きな粘着テープで覆っておく。
このようにしてハンドレール１上に第２の高分子有機シートが貼付される。
【００５４】
このような連続表示シート付きハンドレールは、蛇行して貼られているので、ハンドレールの移動に伴って動的な宣伝効果が得られる。
【００５５】
実施の形態１０．
図１７はこの発明の実施の形態１０の連続表示シート付きハンドレールの斜視図である。実施の形態９の上にさらに、実施の形態９と同様にして、位相の異なった第３の高分子有機シートを貼付したものである。
【００５６】
このような連続表示シート付きハンドレールは、２つの広告が蛇行して貼られているので、実施の形態９よりさらに、ハンドレールの移動に伴って動的な宣伝効果が得られる。
また、広告および注意事項など異なった内容の標章を印刷すれば、同時に告知することができる。
【００５７】
【発明の効果】
この発明の連続表示シート付きハンドレールによる効果は、標章が設けられた高分子有機シートを含む高分子有機シートを複数層積層した連続表示シートが、ハンドレールの移動方向に対して全周に渡って連続してハンドレールに粘接着されているので、第１の高分子有機シートの使用可能期間を長くすることができる。その結果、高価なハンドレール１に粘接着する第１の高分子有機シートの使用量を少なくすることでコストダウンができる。
【図面の簡単な説明】
【図１】この発明の実施の形態１の連続表示シート付きハンドレールの斜視図である。
【図２】図１の断面図である。
【図３】図１の連続表示シートをハンドレールに連続して添付するエスカレータハンドレール用連続シート貼付装置の概略正面図である。
【図４】この発明の実施の形態２の連続表示シート付きハンドレールの斜視図である。
【図５】この発明の実施の形態３の連続表示シート付きハンドレールの斜視図である。
【図６】この発明の実施の形態４の連続表示シート付きハンドレールの斜視図である。
【図７】図６の断面図である。
【図８】この発明の実施の形態５の連続表示シート付きハンドレールの斜視図である。
【図９】図８の断面図である。
【図１０】この発明の実施の形態６の連続表示シート付きハンドレールの斜視図である。
【図１１】この発明の実施の形態７の連続表示シート付きハンドレールの斜視図である。
【図１２】この発明の実施の形態８の連続表示シート付きハンドレールの斜視図である。
【図１３】図１２の断面図である。
【図１４】この発明の実施の形態９の連続表示シート付きハンドレールの斜視図である。
【図１５】ハンドレール上に連続表示シートを蛇行しながら貼付することのできるエスカレータハンドレール用連続シート貼付装置の概略正面図である。
【図１６】図１５の概略平面図である。
【図１７】この発明の実施の形態１０の連続表示シート付きハンドレールの斜視図である。
【符号の説明】
１  ハンドレール、２  連続表示シート、３、４、２７  高分子有機シート、５  帆布、６  帆布層、７  化粧層、８  背部、９  側面部、１０  耳部、１１標章、１２  欄干、１３  台座、１４  貼付ユニット、１５、３０  フレーム、１６  固定装置、１７  表示シート供給装置、１８  案内貼付装置、１９  ロール、２０  シート支持軸、２１  シート裏紙、２２  裏紙巻取ローラ、２３  伝達機構、２４、２９  ゴムローラ、２５  押圧ローラ、２６  ボビン、２８  貼付位置調整装置、３１  円筒カム、３１ａ  カム溝、３２  直線運動部、３２ａ  案内ピン部、３３、３４  案内ローラ。
【図１】
2004217319.tif 000003
【図２】
2004217319.tif 000004
【図３】
2004217319.tif 000005
【図４】
2004217319.tif 000006
【図５】
2004217319.tif 000007
【図６】
2004217319.tif 000008
【図７】
2004217319.tif 000009
【図８】
2004217319.tif 000010
【図９】
2004217319.tif 000011
【図１０】
2004217319.tif 000012
【図１１】
2004217319.tif 000013
【図１２】
2004217319.tif 000014
【図１３】
2004217319.tif 000015
【図１４】
2004217319.tif 000016
【図１５】
2004217319.tif 000017
【図１６】
2004217319.tif 000018
【図１７】
2004217319.tif 000019